(57)【要約】【課題】タブレットＰＣに関し、本体をマグネシウムで作った場合の問題点を解決することを目的とする。【解決手段】タブレットＰＣ１０は、矩形状のマグネシウムの本体１２と、該本体に取りつけられた樹脂モールド部材７２とを備え、該樹脂モールド部材は該本体をドッキングユニットに脱着可能に保持するための係合部分８７、８９、９０を有することを特徴とする。【選択図】　　　図１２
2004013839.tif 000002
【特許請求の範囲】
【請求項１】
矩形状のマグネシウムの本体と、該本体に取りつけられた樹脂モールド部材とを備え、該樹脂モールド部材は該本体をドッキングユニットに脱着可能に保持するための係合部分を有することを特徴とする情報処理装置。
【請求項２】
該樹脂モールド部材は、記憶装置を覆うカバーと、ペンを収容するためのペンホルダと、フラップを支持する部材の中の少なくとも１つからなることを特徴とする請求項１に記載の情報処理装置。
【請求項３】
矩形状のマグネシウムの本体と、該本体に取りつけられた樹脂モールド部材と、該本体を脱着可能に支持するためのドッキングユニットとを備え、該樹脂モールド部材は該本体をドッキングユニットに脱着可能に保持するための係合部分を有することを特徴とする情報処理装置。
【請求項４】
矩形状のマグネシウムの本体と、記憶装置と、該記憶装置を覆う樹脂モールドのカバーと、該カバーを該本体に係止するためのロックとを備え、該ロックは該カバーと該本体とを一緒に係止するようにしたことを特徴とする情報処理装置。
【請求項５】
本体の内部に配置されたプリント基板であって、該本体に設けられたＰＣカードスロットに対向する位置に該ＰＣカードスロットを開閉可能なフラップを支持するフラップユニットを備えていることを特徴とするプリント基板。
【発明の詳細な説明】
【０００１】
【発明の属する技術分野】
本発明は情報処理装置及びプリント基板に関する。
【０００２】
【従来の技術】
タブレットＰＣは、ペンで入力を行うことができる平板型の矩形状のパーソナルコンピュータである。タブレットＰＣは手でもって使用することができ、あるいはドッキングユニットに支持させて使用することもできる。
【０００３】
【発明が解決しようとする課題】
タブレットＰＣは、手で持って使用されるために、できるだけ薄く、かつ軽量に構成されることが要求される。このため、タブレットＰＣの本体をマグネシウムで作る。マグネシウムは強度が高いので、薄くて軽い本体を作るのに適している。マグネシウムは塗装され、あるいは表面処理をされている。しかし、マグネシウムで作られた本体が他の部材と摺動すると、マグネシウムに施した塗装が剥げやすく、あるいは表面が傷つきやすいという問題がある。塗装が剥げたり、表面が傷ついたりすると、本体が腐食しやすくなる。そこで、マグネシウムの特性を生かしつつ、マグネシウムの弱点をカバーするこが必要である。
【０００４】
また、タブレットＰＣは盗難防止用のロックによって係止されることができるようになっている。一方、記憶装置（ＨＤＤ）を覆うカバーがタブレットＰＣの本体に取りつけられており、このカバーはタブレットＰＣの本体にロックされている。この場合、カバーが樹脂モールド部材でありかつ壁厚が小さいと、ロックに対する強度が不足する。さらに、２種類のロックが必要になる。
【０００５】
また、ＰＣカードスロットを開閉可能なフラップは、直接にタブレットＰＣの本体に取りつけられ、あるいはフラップ支持したフラップユニットがタブレットＰＣの本体に取りつけられていた。フラップが直接にタブレットＰＣの本体に取りつけられる場合には、本体を製造するための金型の抜き方向に対して垂直方向の穴が必要になるという問題があった。フラップ支持したフラップユニットがタブレットＰＣの本体に取りつけられる場合には、コネクタの嵌合のために、フラップユニットとプリント基板との間の位置精度が必要になる。
【０００６】
本発明の目的は、本体をマグネシウムで作った場合の問題点を解決した情報処理装置及びプリント基板を提供することである。
【０００７】
【課題を解決するための手段】
本発明による情報処理装置は、矩形状のマグネシウムの本体と、該本体に取りつけられた樹脂モールド部材とを備え、該樹脂モールド部材は該本体をドッキングユニットに脱着可能に保持するための係合部分を有することを特徴とするものである。
【０００８】
この構成において、情報処理装置の本体をマグネシウムで作り、樹脂モールド部材をこの本体に取りつける。この樹脂モールド部材はタブレットＰＣの機能を実現する部分を含み、かつ、本体をドッキングユニットに脱着可能に保持するための係合部分を含む。この係合部分は、本体をドッキングユニットに脱着するときにドッキングユニットの係合部分と摺動する。しかし、本体をドッキングユニットに脱着するときに本体とドッキングユニットとの間で接触や摺動が起きるが、接触や摺動が起きる本体の係合部分は樹脂で作られているので、マグネシウムに施した塗装が剥げたり、あるいは表面が傷ついたりすることがない。
【０００９】
さらに、本発明による情報処理装置は、矩形状のマグネシウムの本体と、該本体に脱着可能に取りつけられた樹脂モールド部材と、該本体を脱着可能に支持するためのドッキングユニットとを備え、該樹脂モールド部材は該本体をドッキングユニットに脱着可能に保持するための係合部分を有することを特徴とする。この場合にも、上記したのと同様の利点がある。
【００１０】
さらに、本発明による情報処理装置は、矩形状のマグネシウムの本体と、記憶装置と、該記憶装置を覆うカバーと、該カバーを該本体に係止するためのロックとを備え、該ロックは該カバーと該本体とを一緒に係止するようにしたことを特徴とする。
【００１１】
この構成によれば、情報処理装置の本体をマグネシウムで作り、記憶装置を覆うカバーは樹脂モールド部品である。記憶装置を覆うカバーはロックによってマグネシウムの本体と一緒に係止されている。ロックとセキュリティキーとも腫れ、タブレットＰＣが持ち去られないように本体を例えば机に繋ぐためのものである。しかし、タブレットＰＣが机に係止されていたとしても、記憶装置を覆うカバーが開放されるならば、ＨＤＤ等の記憶装置が盗まれる可能性がある。ＨＤＤ等の記憶装置は使用者にとっては非常に重要なものであり、盗まれては困るものである。上記構成では、記憶装置を覆うカバー及びマグネシウムの本体がロックによって一緒に係止されているので、記憶装置を覆うカバーは開放されることがなく、ＨＤＤ等の記憶装置が盗まれることがない。そして、記憶装置を覆うカバーとマグネシウムの本体と一緒にロックされているので、マグネシウムの本体が樹脂モールド部材であるカバーを補強し、ロックに対するカバーの強度不足を補償する。
【００１２】
さらに、本発明によるプリント基板は、本体の内部に配置されたプリント基板であって、該本体に設けられたＰＣカードスロットに対向する位置に該ＰＣカードスロットを開閉可能なフラップを支持するフラップユニットを備えていることを特徴とする。
【００１３】
この構成によれば、フラップユニットは例えば樹脂モールド部材で作られる。通常はフラップ又はフラップユニットは本体に取りつけられるが、本構成においては、フラップユニットはプリント基板に取りつけられている。従って、フラップユニットはプリント基板に対して正確に位置決めされることができ、ＰＣカードがＰＣカードスロットに挿入されたときにＰＣカードのコネクタがプリント基板のコネクタに問題なく結合されることができる。
【００１４】
【発明の実施の形態】
以下本発明の実施例について図面を参照して説明する。まず、図１から図９を参照してタブレットＰＣの基本的な構成について説明する。
【００１５】
図１は本発明の実施例によるタブレットＰＣを示す斜視図であり、図２はバッテリが本体から取り外された状態の図１のタブレットＰＣを示す斜視図である。図３は底部から見た図１のタブレットＰＣを示す底部斜視図であり、図４はバッテリが本体から取り外された状態の図３のタブレットＰＣを示す底部斜視図である。
【００１６】
図１から図４において、タブレットＰＣ１０は、平板型の矩形状の本体１２からなる。本体１２は、ロアカバー１６と、ロアカバー１６を覆うアッパカバー１４とからなる。表示部１８が本体１２の表面に設けられる。図示しない電子部材及びプリント基板が本体１２の内部に配置される。本体１２は、対向する第１及び第２の長辺側部２０、２１と、対向する第１及び第２の短辺側部２２、２３とを有する。
【００１７】
タブレットＰＣ１０は、ペン２４で入力を行うことができるパーソナルコンピュータである。図５はタブレットＰＣの内部を示す平面図である。ペン２４は、第１の長辺側部２０に沿って設けられたペンホルダ２６に収容されている。ペンホルダ２６は第２の短辺側部２３に向かって開口する略円筒状の容器であり、第１の長辺側部２０の上端から下向きに第１の長辺側部２０の中間部まで延びる。ペン２４は使用時にはペンホルダ２６から取り出される。例えば、ペン２４はコイルを含み、本体１２はアンテナを含む。アンテナとコイルとの相互作用によりペン２４で入力を行うことができる。ペン２４は、表示部１８に向かってクリックしたり、あるいは表示部１８に接触させることにより、タブレットＰＣ１０に入力を行うことができる。
【００１８】
バッテリ２８が本体１２の第１の短辺側部２２に配置され且つアッパカバー１４とオーバーラップして配置される。図４によく示されるように、バッテリ収容部３０が本体１２の第１の短辺側部２２に設けられており、バッテリ２８は矢印で示されるように本体１２の第１の短辺側部２２のバッテリ収容部３０に挿入される。
【００１９】
バッテリ収容部３０は開口部３１Ａを有する端部壁３１を有する。ロアカバー１６の底壁はバッテリ収容部３０の端部壁３１で終端し、アッパカバー１４はバッテリ収容部３０の端部壁３１を越えて延びる。従って、バッテリ２８が本体１２に装着された状態では、バッテリ２８はアッパカバー１４とオーバーラップするが、ロアカバー１４の底壁からは実質的に露出している。バッテリ２８の幅はほぼ本体１２の幅と等しい。
【００２０】
例えば、バッテリ２８が本体１２の内部に配置された場合を考えると、バッテリ２８は本体１２の内部の電子部品と重なるように配置されるので、本体１２全体の厚さが厚くなり、本体１２の重量が増加する。バッテリ２８を本体１２の第１の短辺側部２２に配置することにより、バッテリ２８は本体１２の内部の電子部品と重ならずに電子部品の延長線上に配置することができ、本体１２の厚さをバッテリ２８の厚さとほぼ等しい値まで低減することができ、それによって本体１２の重量を低減することができる。そして、バッテリ２８がアッパカバー１４とオーバーラップするように構成することにより、バッテリ２８を単に本体１２の側部に取りつけた場合よりもバッテリ２８の周囲の部分の強度を大きくすることができる。
【００２１】
図６は図１の第２の短辺側部２３と第２の長辺側部２１との間のコーナー部１２Ａから見たタブレットＰＣを示す斜視図である。空気の排出開口部５２が本体１２の第２の短辺側部２３と第２の長辺側部２１との間のコーナー部１２Ａ又はコーナー部１２Ａの近くに設けられる。
【００２２】
図５は本体の内部に配置されたヒーントシンク及びファンを示している。ＣＰＵ５３Ａが本体１２の内部に配置され、ＣＰＵ５３Ａは使用時に熱を発生する。ヒートシンク５３ＢがＣＰＵ５３Ａに接触して配置され、ヒートパイプ５３Ｃの一端がヒートシンク５３Ｂに接触して配置されている。フィン５３Ｄが曲げられたヒートパイプ５３Ｃの他端に設けられ、ファン５３Ｅがフィン５３Ｄと平行に冷却空気を送るように配置される。ファン５３Ｅは空気の排出開口部５２に向かって冷却空気の流れを生成する。
【００２３】
図１及び図６に示されるように、無線通信の受信手段５４が第１の長辺側部２０の中間部に設けられている。無線通信の受信手段５４は、ペン２４を収容するペンホルダ２６の先端よりも少し第１の短辺側部２２寄りで、第１の短辺側部２２からある程度離れた位置に設けられる。無線通信の受信手段５４はキーボードやマウスから発信された無線の信号を受けることができるようになっている。実施例においては、キーボードやマウスは赤外線の信号を発信し、受信手段５４は赤外線の受光素子を含む。
【００２４】
図７は図１の第１の長辺側部２０と第２の短辺側部２３との間のコーナー部１２Ｂから見たタブレットＰＣを示す斜視図である。ペン２４が第１の長辺側部２０に配置されている。
【００２５】
図８は横置きの姿勢で使用する場合のタブレットＰＣ１０を示す平面図である。図８において、タブレットＰＣ１０が横置きの姿勢で使用される場合には、ペン２４が配置されている第１の長辺側部２０を下側にし、第２の長辺側部２１を上側にする。表示部１８は横に長い画面となる。第１の長辺側部２０を手でもち、ペン２４で入力作業を行うことができる。ペン２４はペンホルダ２６から右手で取り出しやすい位置にある。さらに、空気の排出開口部５２は上側にある第２の長辺側部２１にあるので、温かくなった空気は上向きに流れ、空気の排出開口部５２から流出することができる。
【００２６】
図９は縦置きの姿勢で使用する場合のタブレットＰＣ１０を示す平面図である。図９において、タブレットＰＣ１０が縦置きの位置で使用される場合には、バッテリ２８が配置されている第１の短辺側部２２を下側にし、第２の短辺側部２３を上側にする。表示部１８は縦に長い画面となる。第１の短辺側部２２を手でもち、ペン２４で入力作業を行うことができる。この場合にも、ペン２４はペンホルダ２６から右手で取り出しやすい位置にある。さらに、空気の排出開口部５２は第２の長辺側部２１の上端部近くにあるので、温かくなった空気は上向きに流れ、空気の排出開口部５２から流出することができる。
【００２７】
図８及び図９において、本体１２の表面には複数の操作ボタンが並んでいる。そのうちの一つのボタン５６を押すと、表示部１８の表示がタブレットＰＣ１０を横置きの姿勢で使用するのに適した表示と縦置きの姿勢で使用する場合のに適した表示との間で、切り換わるようになっている。このように表示が切り換わるようにしたソフトウエアは、例えばマイクロソフト社から市場に提供されている。
【００２８】
さらに、タブレットＰＣ１０は複数のＩＯ用コネクタを含んでいる。図３に示されるように、多くのＩＯ用コネクタ５８は第２の長辺側部２１に設けられる。例えば、無線ＬＡＮアンテナ５８ａ、ＭＯＤＥＭコネクタ５８ｂ、ＬＡＮコネクタ５８ｃ、ＶＧＡコネクタ５８ｄ、ＡＣアダプタ５８ｅが第２の長辺側部２１に設けられる。さらに、セキュリティキー用のキーホール６０が第２の長辺側部２１に設けられる。
【００２９】
同様に、図７に示されるように、複数のＩＯ用コネクタ６２が第２の短辺側部２３に設けられる。例えば、これらのＩＯ用コネクタ６２は、ＩＥＥＥ１３９４コネクタ、ヘッドホンコネクタ、マイクコネクタ、赤外線ポート、ＵＳＢコネクタ等である。ＰＣカードスロットも第２の短辺側部２３に設けられる。このように、本体１２の４つの側部２０、２２、２１、２３のうち、２つの長辺側部２０及び短辺側部２２にバッテリ２８及びペンホルダ２６を配置してそれらの側部の一つを手でもつことができるようにするとともに、２つの長辺側部２１及び短辺側部２３にコネクタ５８及びコネクタ６２を配置し、コネクタ５８及びコネクタ６２が手で力を受けないようにしている。
【００３０】
図１０から図１９を参照して本発明をさらに詳細に説明する。
【００３１】
図１０はタブレットＰＣ１０を支持することのできるドッキングユニット６４を示す斜視図である。図１１はタブレットＰＣ１０を支持したドッキングユニット６４を示す斜視図である。ドッキングユニット６４は樹脂で作られている。タブレットＰＣ１０は上記したように手でもって使用できるばかりでなく、ドッキングユニット６４に取りつけて使用されることもできる。ドッキングユニット６４はタブレットＰＣ１０を支持するばかりでなく、タブレットＰＣ１０の機能を拡張する手段を有する。
【００３２】
図１０において、本体１２をドッキングユニット６４に脱着可能に保持するために、ドッキングユニット６４は、レバー６６と、爪６７、６８、６９、７０を有する。
【００３３】
図１２は図３のタブレットＰＣ１０を第２の長辺側部２１及び第２の短辺側部２３の方から見た斜視図である。図１３は図１２のタブレットＰＣ１０を第１の長辺側部２０及び第２の短辺側部２３の方から見た斜視図である。図１２及び図１３において、本体１２はドッキングユニット６４のピン６７、６８、６９、７０に係合可能な係合凹部８７、８８、８９、９０を有する。レバー６６を操作すると、爪６７、６８、６９、７０が動いて係合凹部８７、８８、８９、９０に係合し、タブレットＰＣ１０がドッキングユニット６４に固定されるようになっている。
【００３４】
図１４は記憶装置（ＨＤＤ）を覆うカバー７２が開放位置にある状態のタブレットＰＣ１０を示す図である。図１２から図１４において、記憶装置（ＨＤＤ）７１を覆うカバー７２は樹脂モールド部材であって、本体１２の裏面側に配置されている。カバー７２は第２の長辺側部２１に対して垂直な方向（図１４の矢印の方向）に動くことができ、記憶装置（ＨＤＤ）７１を開閉できるようになっている。
【００３５】
係合凹部８７はカバー７２の側壁部分に形成されている。ピン６７は係合凹部８７に係合可能である。また、図１３に示される係合凹部８８は図５に示されるペンホルダ２６に形成されている。ペンホルダ２６は本体１２の内部に配置されている。本体１２のロアカバー１４が開口部１４Ａを有し、係合凹部８８は開口部１４Ａにおいて露出される。ピン６８は開口部１４Ａを介してペンホルダ２６の係合凹部８８にアクセスする。
【００３６】
係合凹部８９、９０はフラップ７４を有するフラップベース７６に形成されている。フラップ７４は図１２から図１４において本体１２の裏面側の中央部に示されており、本体１２のロアケース１４の開口部から露出されている。フラップ７４は本体の内部の電子部材、例えばコネクタを覆う。フラップベース７６は本体１２の内部に配置される。ロアケース１４はフラップ７４の両側に開口部１４Ｂ、１４Ｃを有する。ピン６９、７０はロアケース１４の開口部１４Ｂ、１４Ｃを介してフラップベース７６の係合凹部８９、９０にアクセスする。
【００３７】
図１５（Ａ）はフラップ７４を支持するフラップベース７６を示す平面図、図１５（Ｂ）はフラップベース７６を示す端面図を示す。図１６はフラップベース７６とロアカバー１６を示す長手断面図である。フラップベース７６はフラップ７４を旋回可能に支持するとともに、ロアカバー１６にねじによって止められるようになっている。フラップベース７６の各端部は図１５（Ｂ）に示されるように横に開口した箱状に形成されており、図１６に示されるように、長手方向外側に向かって開口している。フラップベース７６の各端部が係合凹部８９、９０を形成している。ロアカバー１６の開口部１６Ｂ、１６Ｃは係合凹部８９、９０のわずかに外よりの位置にあり、ピン６９、７０は図１６において下側からロアケース１６の開口部１４Ｂ、１４Ｃに入り、係合凹部８９、９０に係止される。
【００３８】
このように、タブレットＰＣ１０は、矩形状のマグネシウムの本体１２と、本体１２に取りつけられた所定の機能を有する樹脂モールド部材２６、７２、７６とを備え、樹脂モールド部材２６、７２、７６は本体１２をドッキングユニット６４に脱着可能に保持するための係合凹部８７、８８、８９、９０を有する。
【００３９】
本体１２はマグネシウムで作られており、マグネシウムは強度が高いので、薄くて軽い本体を作るのに適している。しかし、マグネシウムで作られた本体１２が他の部材と摺動すると、マグネシウムに施した塗装が剥げやすく、あるいは表面が傷つきやすいという問題がある。本構成においては、本体１２のうち、他の部材（ドッキングユニット６４のピン６７、６８、６９、７０）と係合する部分（係合凹部８７、８８、８９、９０）を樹脂で作り、マグネシウムに施した塗装が剥げやすく、あるいは表面が傷つきやすいという問題を解消している。よって、マグネシウムの特性を生かしつつ、マグネシウムの弱点をカバーすることができる。特に、係合凹部８７、８８、８９、９０は特別に樹脂モールド部材として作られたものではなく、別の機能をもった部材の一部分として形成されているので、部品数が多くなることはなく、組立が面倒になることもなく、製造コストを低減することができる。
【００４０】
さらに、図１４において、ロックとしてセキュリティキー７８が示されている。セキュリティキー７８のための第１のキーホール６０は記憶装置（ＨＤＤ）７１を覆うカバー７２に形成されている。さらに、第２のキーホール８０が本体１２のロアカバー１４の側壁に形成されている。セキュリティキー７８は第１のキーホール６０及び第２のキーホール８０を通されて施錠される。従って、セキュリティキー７８はカバー７２と本体１２とを一緒に係止する。セキュリティキー７８は図示しないチェーンやロープにより机等の適当な位置に繋がれる。
【００４１】
この構成によれば、タブレットＰＣ１０の本体１２をマグネシウムで作り、記憶装置を覆うカバー７２は樹脂モールド部材で作られる。セキュリティキー７８はタブレットＰＣ１０が持ち去られないように本体１２を例えば机に係止するためのものである。ＨＤＤ等の記憶装置７１は使用者にとっては非常に重要なものであり、本体１２から抜き取られては困るものである。しかし、記憶装置を覆うカバー７２がセキュリティキー７８によってマグネシウムの本体１２と一緒に係止されているので、記憶装置を覆うカバー７２は開放されることができず、ＨＤＤ等の記憶装置７１が盗まれることがない。カバー７２が樹脂モールド部材でありかつ壁厚が小さいと、ロックに対する強度が不足するが、カバー７２はマグネシウムの本体１２の側壁と重ねてロックされているので、ロックに対する強度が補償される。
【００４２】
図１２及び図１３において、ＰＣカードスロット８２が本体１２のロアカバー１４に設けられている。フラップ８３がＰＣカードスロット８２を開閉可能に配置されている。
【００４３】
図１７はＰＣカードスロット８２を含む本体の一部を示す拡大斜視図である。図１８はフラップ８３を有するフラップユニット８４及びプリント基板４２を示す斜視図である。図１９はフラップユニット８４をプリント基板４２に取り付けるところを示す斜視図である。
【００４４】
図１７から図１９において、ＰＣカードスロット８２は、ロアカバー１４の開口部の部分と、フラップユニット８４のフラップ８３のまわりの開口部の部分と、プリント基板４２に実装されたケース状の部分とからなる。ＰＣカードスロット８２のケース状の部分の内部にはＰＣカードのコネクタと嵌合するコネクタが設けられる。
【００４５】
フラップユニット８４はプリント基板４２に取りつけられている。プリント基板４２は一対の平行なガイド８５を有し、フラップユニット６４の側部にはガイド溝８６が設けられている。従って、フラップユニット６４はガイド溝８６をガイド８５に摺動させながらプリント基板４２に取りつけられる。ガイド８５は位置決め切り欠き８５Ａを有し、ガイド溝８６は位置決め突起８６Ａを有する。フラップユニット６４は位置決め突起８６Ａが位置決め切り欠き８５Ａに係合した位置でプリント基板４２に保持される。
【００４６】
この構成において、タブレットＰＣ１０の本体をマグネシウムで作り、フラップユニットは樹脂モールド部材で作られる。通常はフラップ又はフラップユニットは本体に取りつけられるが、本構成においては、フラップユニット８４はプリント基板４２に取りつけられている。従って、フラップユニット８４はプリント基板４２に対して正確に位置決めされることができ、ＰＣカードがＰＣカードスロット８２に挿入されたときにＰＣカードのコネクタがプリント基板４２のＰＣカードスロット８２のケース状の部分のコネクタに問題なく結合されることができる。
【００４７】
【発明の効果】
以上説明したように、本発明によれば、本体をマグネシウムで作り、樹脂モールド部材を本体に取りつけようにすることにより、本体をマグネシウムで作った場合の問題点を解決することができる。特に、樹脂モールド部材は本体をドッキングユニットに脱着可能に保持するための係合部分を有する構成の場合には、マグネシウムに施した塗装が剥げたり、あるいは表面が傷ついたりするのを防止することができる。また、ロックが記憶装置を覆うカバーと本体とを一緒に係止するようにした構成の場合には、最小の部品点数で、タブレットＰＣ及び記憶装置を盗難から防止することができ、かつ樹脂モールド部材であるカバーのロックに対する強度が補償される。また、ＰＣカードスロットを開閉可能なフラップを支持する樹脂モールドのフラップユニットがプリント基板に取りつけられる構成の場合には、本体を製造するための金型の製造が簡単になり、かつコネクタの嵌合のためのフラップユニットとプリント基板との間の位置精度が確実に確保される。
【図面の簡単な説明】
【図１】図１は本発明の実施例によるタブレットＰＣを示す斜視図である。
【図２】図２はバッテリが本体から取り外された状態の図１のタブレットＰＣを示す斜視図である。
【図３】図３は底部から見た図１のタブレットＰＣを示す底部斜視図である。
【図４】図４はバッテリが本体から取り外された状態の図３のタブレットＰＣを示す底部斜視図である。
【図５】図５はタブレットＰＣの内部を示す平面図である。
【図６】図６は図１の第２の短辺側部と第２の長辺側部との間のコーナー部から見たタブレットＰＣを示す斜視図である。
【図７】図７は図１の第１の長辺側部と第２の短辺側部との間のコーナー部から見たタブレットＰＣを示す斜視図である。
【図８】図８は横置きの姿勢で使用する場合のタブレットＰＣを示す平面図である。
【図９】図９は縦置きの姿勢で使用する場合のタブレットＰＣを示す平面図である。
【図１０】図１０はタブレットＰＣを支持することのできるドッキングユニットを示す斜視図である。
【図１１】図１１はタブレットＰＣを支持したドッキングユニットを示す斜視図である。
【図１２】図１２は図３のタブレットＰＣを第２の長辺側部及び第２の短辺側部の方から見た斜視図である。
【図１３】図１３は図１２のタブレットＰＣを第１の長辺側部及び第２の短辺側部の方から見た斜視図である。
【図１４】図１４は記憶装置（ＨＤＤ）を覆うカバーが開放位置にある状態のタブレットＰＣを示す図である。
【図１５】図１５はフラップを有するフラップベースを示し、（Ａ）は平面図、（Ｂ）は端面図である。
【図１６】図１６はフラップベースとロアカバーを示すフラップベースの長手方向にとった断面図である。
【図１７】図１７はＰＣカードスロットを含む本体の一部を示す拡大斜視図である。
【図１８】図１８はフラップを有するフラップユニット及びプリント基板を示す斜視図である。
【図１９】図１９はフラップユニットをプリント基板に取り付けるところを示す斜視図である。
【符号の説明】
１０…タブレットＰＣ
１２…本体
２４…ペン
２６…ペンホルダ
２８…バッテリ
４２…プリント基板
６０…キーホール
６４…ドッキングユニット
６７、６８、６９、７０…ピン
７１…記憶装置
７２…カバー
７４…フラップ
７６…フラップベース
７８…セキュリティキー
８０…キーホール
８２…ＰＣカードスロット
８３…フラップ
８４…フラップユニット
８７、８８、８９、９０…係合凹部
【図１】
2004013839.tif 000003
【図２】
2004013839.tif 000004
【図３】
2004013839.tif 000005
【図４】
2004013839.tif 000006
【図５】
2004013839.tif 000007
【図６】
2004013839.tif 000008
【図７】
2004013839.tif 000009
【図８】
2004013839.tif 000010
【図９】
2004013839.tif 000011
【図１０】
2004013839.tif 000012
【図１１】
2004013839.tif 000013
【図１２】
2004013839.tif 000014
【図１３】
2004013839.tif 000015
【図１４】
2004013839.tif 000016
【図１５】
2004013839.tif 000017
【図１６】
2004013839.tif 000018
【図１７】
2004013839.tif 000019
【図１８】
2004013839.tif 000020
【図１９】
2004013839.tif 000021
【手続補正書】
【提出日】平成15年7月31日(2003.7.31)
【手続補正１】
【補正対象書類名】明細書
【補正対象項目名】００１１
【補正方法】変更
【補正の内容】
【００１１】
この構成によれば、情報処理装置の本体をマグネシウムで作り、記憶装置を覆うカバーは樹脂モールド部品である。記憶装置を覆うカバーはロックによってマグネシウムの本体と一緒に係止されている。ロックはセキュリティキーとも呼ばれ、タブレットＰＣが持ち去られないように本体を例えば机に繋ぐためのものである。しかし、タブレットＰＣが机に係止されていたとしても、記憶装置を覆うカバーが開放されるならば、ＨＤＤ等の記憶装置が盗まれる可能性がある。ＨＤＤ等の記憶装置は使用者にとっては非常に重要なものであり、盗まれては困るものである。上記構成では、記憶装置を覆うカバー及びマグネシウムの本体がロックによって一緒に係止されているので、記憶装置を覆うカバーは開放されることがなく、ＨＤＤ等の記憶装置が盗まれることがない。そして、記憶装置を覆うカバーとマグネシウムの本体と一緒にロックされているので、マグネシウムの本体が樹脂モールド部材であるカバーを補強し、ロックに対するカバーの強度不足を補償する。


【手続補正２】
【補正対象書類名】明細書
【補正対象項目名】００３３
【補正方法】変更
【補正の内容】
【００３３】
図１２は図３のタブレットＰＣ１０を第２の長辺側部２１及び第２の短辺側部２３の方から見た斜視図である。図１３は図１２のタブレットＰＣ１０を第１の長辺側部２０及び第２の短辺側部２３の方から見た斜視図である。図１２及び図１３において、本体１２はドッキングユニット６４の爪６７、６８、６９、７０に係合可能な係合凹部８７、８８、８９、９０を有する。レバー６６を操作すると、爪６７、６８、６９、７０が動いて係合凹部８７、８８、８９、９０に係合し、タブレットＰＣ１０がドッキングユニット６４に固定されるようになっている。


【手続補正３】
【補正対象書類名】明細書
【補正対象項目名】００３５
【補正方法】変更
【補正の内容】
【００３５】
係合凹部８７はカバー７２の側壁部分に形成されている。爪６７は係合凹部８７に係合可能である。また、図１３に示される係合凹部８８は図５に示されるペンホルダ２６に形成されている。ペンホルダ２６は本体１２の内部に配置されている。本体１２のロアカバー１６が開口部１６Ａを有し、係合凹部８８は開口部１４Ａにおいて露出される。爪６８は開口部１６Ａを介してペンホルダ２６の係合凹部８８にアクセスする。


【手続補正４】
【補正対象書類名】明細書
【補正対象項目名】００３６
【補正方法】変更
【補正の内容】
【００３６】
係合凹部８９、９０はフラップ７４を有するフラップベース７６に形成されている。フラップ７４は図１２から図１４において本体１２の裏面側の中央部に示されており、本体１２のロアカバー１６の開口部から露出されている。フラップ７４は本体の内部の電子部材、例えばコネクタを覆う。フラップベース７６は本体１２の内部に配置される。ロアカバー１６はフラップ７４の両側に開口部１６Ｂ、１６Ｃを有する。爪６９、７０はロアカバー１６の開口部１６Ｂ、１６Ｃを介してフラップベース７６の係合凹部８９、９０にアクセスする。


【手続補正５】
【補正対象書類名】明細書
【補正対象項目名】００３７
【補正方法】変更
【補正の内容】
【００３７】
図１５（Ａ）はフラップ７４を支持するフラップベース７６を示す平面図、図１５（Ｂ）はフラップベース７６を示す端面図を示す。図１６はフラップベース７６とロアカバー１６を示す長手断面図である。フラップベース７６はフラップ７４を旋回可能に支持するとともに、ロアカバー１６にねじによって止められるようになっている。フラップベース７６の各端部は図１５（Ｂ）に示されるように横に開口した箱状に形成されており、図１６に示されるように、長手方向外側に向かって開口している。フラップベース７６の各端部が係合凹部８９、９０を形成している。ロアカバー１６の開口部１６Ｂ、１６Ｃは係合凹部８９、９０のわずかに外よりの位置にあり、爪６９、７０は図１６において下側からロアカバー１６の開口部１６Ｂ、１６Ｃに入り、係合凹部８９、９０に係止される。


【手続補正６】
【補正対象書類名】明細書
【補正対象項目名】００４０
【補正方法】変更
【補正の内容】
【００４０】
さらに、図１４において、ロックとしてセキュリティキー７８が示されている。セキュリティキー７８のための第１のキーホール６０は記憶装置（ＨＤＤ）７１を覆うカバー７２に形成されている。さらに、第２のキーホール８０が本体１２のロアカバー１６の側壁に形成されている。セキュリティキー７８は第１のキーホール６０及び第２のキーホール８０を通されて施錠される。従って、セキュリティキー７８はカバー７２と本体１２とを一緒に係止する。セキュリティキー７８は図示しないチェーンやロープにより机等の適当な位置に繋がれる。


【手続補正７】
【補正対象書類名】明細書
【補正対象項目名】００４２
【補正方法】変更
【補正の内容】
【００４２】
図１２及び図１３において、ＰＣカードスロット８２が本体１２のロアカバー１６に設けられている。フラップ８３がＰＣカードスロット８２を開閉可能に配置されている。


【手続補正８】
【補正対象書類名】明細書
【補正対象項目名】００４４
【補正方法】変更
【補正の内容】
【００４４】
図１７から図１９において、ＰＣカードスロット８２は、ロアカバー１６の開口部の部分と、フラップユニット８４のフラップ８３のまわりの開口部の部分と、プリント基板４２に実装されたケース状の部分とからなる。ＰＣカードスロット８２のケース状の部分の内部にはＰＣカードのコネクタと嵌合するコネクタが設けられる。


【手続補正９】
【補正対象書類名】図面
【補正対象項目名】図１３
【補正方法】変更
【補正の内容】
【図１３】
2004013839.tif 000022
【手続補正１０】
【補正対象書類名】図面
【補正対象項目名】図１６
【補正方法】変更
【補正の内容】
【図１６】
2004013839.tif 000023
【手続補正１１】
【補正対象書類名】図面
【補正対象項目名】図１７
【補正方法】変更
【補正の内容】
【図１７】
2004013839.tif 000024